(57)【要約】【課題】検者が装置を手持ちして被検眼を撮像するときに、装置と被検者の顔との位置・角度を安定して保つようにすることを目的とする。【解決手段】被検眼を撮像する撮像部１２と、棒状に形成され撮像部１２を収容する本体部３０と、本体部３０の軸線方向における一方端に配置され被検眼の周辺に当接する接眼部１１と、本体部３０の軸線方向における他方端に配置され被検眼像を表示する表示部１４と、を有し、本体部３０は、検者の手により保持される軸線方向に沿った保持部３０１を有する。【選択図】図３
2015226584.tif 000002
【特許請求の範囲】
【請求項１】
被検眼を撮像する撮像部と、
棒状に形成され前記撮像部を収容する本体部と、
前記本体部の軸線方向における一方端に配置され被検眼の周辺に当接する接眼部と、
前記本体部の軸線方向における他方端に配置され被検眼像を表示する表示部と、を有し、
前記本体部は、検者の手により保持される軸線方向に沿った保持部を有することを特徴とする眼科装置。
【請求項２】
前記表示部の表示面は、前記本体部の軸線方向に対して交差していることを特徴とする請求項１に記載の眼科装置。
【請求項３】
前記表示部の表示面は、前記本体部の軸線方向に対して傾斜していることを特徴とする請求項１または２に記載の眼科装置。
【請求項４】
前記保持部は、前記本体部のうち前記表示部側に形成され、
前記表示部の表示面の反対側である裏面は、前記保持部を保持した手の甲に接触されることを特徴とする請求項１ないし３の何れか１項に記載の眼科装置。
【請求項５】
前記裏面は、前記本体部の軸線方向に対して傾斜していることを特徴とする請求項４に記載の眼科装置。
【請求項６】
前記裏面は、弾力性を有する層が形成されることを特徴とする請求項４または５に記載の眼科装置。
【請求項７】
前記裏面は、凸状または凹状に形成されることを特徴とする請求項４ないし６の何れか１項に記載の眼科装置。
【請求項８】
前記接眼部は、被検眼の周辺に当接したときに検者が被検眼を視認可能であることを特徴とする請求項１ないし７の何れか１項に記載の眼科装置。
【請求項９】
前記本体部は、２つ以上の操作ボタンを有することを特徴とする請求項１ないし８の何れか１項に記載の眼科装置。
【請求項１０】
前記表示部は、前記本体部に対して着脱可能であることを特徴とする請求項１ないし９の何れか１項に記載の眼科装置。
【請求項１１】
前記本体部は、前記本体部の軸線方向における他方端に前記表示部を取り付ける取付部を有することを特徴とする請求項１０に記載の眼科装置。
【発明の詳細な説明】
【技術分野】
【０００１】
本発明は、被検眼を撮像する眼科装置に関する。
【背景技術】
【０００２】
被検眼を撮像する眼科装置には、いわゆる据え置き型と、いわゆる手持ち型とが知られている。また、被検眼、とりわけ眼底を撮像するためには、装置の何れかの部分を被検者の顔に当接し撮像を行う一定の間、装置と被検者の顔の位置・角度を安定して保つことが必要である。
【０００３】
据え置き型の眼科装置では、被検者の額を当接させるための額当てや被検者の顎を載置させるための顎受け台などにより、被検者の顔に２点以上で支持することにより、装置と被検者の顔の位置・角度を安定して保つことが一般的である。
一方、手持ち型の眼科装置では、検者が手持ちするという性質上、顎受け台などを設けることが困難である。したがって、額当てを用いて被検者の額に押し当てたり、被検眼に接眼する接眼部を被検者の顔に押し当てたりすることで、装置と被検者の顔の位置・角度を安定して保つことが一般的である。
【０００４】
特許文献１には、検者が把持する手持ち部と被検者の額に接する額当てを有する手持ち式眼科装置が開示されている。
特許文献２には、被検眼を測定する測定手段と、被検眼を撮影する撮影手段と、撮影手段で撮影された被検眼像を表示する表示手段とを有する手持ち型眼科装置が開示されている。
特許文献３には、筆記ペンのように手に持ち易い形状の伸長本体を有する内蔵型携帯式角膜厚さ超音波測定器が開示されている。伸長本体は、手で持ち易いように末端方向にくぼみ部分を有するハウジングと、本体の頂部面上に配置されたディジタル表示部とを有している。
【先行技術文献】
【特許文献】
【０００５】
【特許文献１】特開平８−１６４１１４号公報
【特許文献２】特開平９−２８５４４６号公報
【特許文献３】特開昭６２−１２２６４０号公報
【発明の概要】
【発明が解決しようとする課題】
【０００６】
上述した特許文献に開示されるものを含む従来の眼科装置では、検者が装置を手持ちして被検者の顔との位置・角度を安定して保つことが困難であった。すなわち、特許文献１や特許文献２に開示される装置は、被検者の顔に当接される装置本体に対して、検者が把持する手持ち部が略垂直に突出するように連接されている。このような、いわゆるピストルグリップ・タイプの手持ち部の場合、被検者の顔への当接を検者の腕の突き出しにより調節する一方、被検者の顔に接する角度の調節を検者の手首の角度により調節する（図６（ａ）参照）。しかし、被検者の顔に装置を当接した状態で顔面から後頭部へ向かう方向（眼軸方向）の力を装置にかけると装置が回転する方向にも力が働いてしまうため、装置の位置・角度を安定して保つことが困難である。したがって、装置を被検者の顔に当接している際に、装置の位置・角度がぶれ易いという問題がある。このような問題のために、ピストルグリップ・タイプの眼科装置を使用する現場では、検者が手持ちをしていないもう一方の手を接眼部に添えることにより被検者の顔との位置・角度を保っている（図６（ｂ）参照）。
【０００７】
また、特許文献３に開示される測定器は、被検眼を光学的に測定するものではなく、光学測定を行う眼科装置に比べて被検者の顔との位置・角度を安定して保つ必要性が小さい。そのために、特許文献３の装置には被検眼に接眼する接眼部を備えていない。
【０００８】
本発明は、上述したような問題点に鑑みてなされたものであり、検者が装置を手持ちして被検眼を撮像するときに、装置と被検者の顔との位置・角度を安定して保つことができるようにすることを目的とする。
【課題を解決するための手段】
【０００９】
本発明の眼科装置は、被検眼を撮像する撮像部と、棒状に形成され前記撮像部を収容する本体部と、前記本体部の軸線方向における一方端に配置され被検眼の周辺に当接する接眼部と、前記本体部の軸線方向における他方端に配置され被検眼像を表示する表示部と、を有し、前記本体部は、検者の手により保持される軸線方向に沿った保持部を有することを特徴とする。
【発明の効果】
【００１０】
本発明によれば、検者が装置を手持ちして被検眼を撮像するときに、装置と被検者の顔との位置・角度を安定して保つことができる。
【図面の簡単な説明】
【００１１】
【図１】本実施形態の眼科装置の概略の構成を示す図である。
【図２】本実施形態の眼科装置の処理を示すフローチャートである。
【図３】本実施形態の眼科装置の外観を示す斜視図である。
【図４】本実施形態の眼科装置の使用態様の一例を示す図である。
【図５】本実施形態の眼科装置の表示部を表示面と反対側から見た状態を示す斜視図である。
【図６】ピストルグリップ・タイプの眼科装置の使用態様の一例を示す図である。
【発明を実施するための形態】
【００１２】
以下、本発明に係る実施形態について図面を参照して説明する。
図１は、本実施形態に係る眼科装置１００の概略の構成を示す図である。
眼科装置１００は、接眼部１１、撮像部１２、制御部１３、表示部１４などを有している。
【００１３】
接眼部１１は、撮像部１２と被検眼Ｅとの距離を一定に保つために、被検者の顔に当接される。接眼部１１は、ある程度の弾力性を有する素材によって形成することができる。この場合、接眼部１１を被検者の顔に当接したときに、眼科装置１００の位置・角度が安定し易い上、当接による被検者の痛みが軽減される。また、接眼部１１は、空隙を形成したり透明素材によって形成したりすることができる。この場合、検者が被検眼を視認しながら接眼部１１を当接できることから、眼科装置１００と被検眼との位置ずれの防止または軽減を図ることができる。また、接眼部１１は、遮光性を有する素材によって形成することができる。この場合、被検眼を外部光から遮ることができる。
【００１４】
撮像部１２は、赤外ＬＥＤ光源２０１、白色ＬＥＤ光源２０２、コンデンサＣ、照明光路Ｏ１、撮像光軸Ｏ２、リングスリット２０５、照明リレーレンズ２０７、照明リレーレンズ２０９、スプリットユニット２０８、穴あきミラー２１０を有する。また、撮像部１２は、対物レンズ２１１、フォーカスレンズ２１３、撮像素子２１７、前眼観察用レンズ２２０などを有する。
【００１５】
赤外ＬＥＤ光源２０１は、被検者の眼底を赤外観察する場合の光源である。白色ＬＥＤ光源２０２は、被検者の眼底を可視撮影する場合の光源である。赤外ＬＥＤ光源２０１および白色ＬＥＤ光源２０２は、駆動部Ｍ４により照明光路Ｏ１上に挿脱される。なお、位置検知部Ｓ５は赤外ＬＥＤ光源２０１および白色ＬＥＤ光源２０２の位置を検知する。
リングスリット２０５は、赤外ＬＥＤ光源２０１または白色ＬＥＤ光源２０２からの照明光をリング照明にするためのマスクである。リング照明は照明リレーレンズ２０７と、照明リレーレンズ２０９とによって、被検眼Ｅに結像する。
コンデンサＣは、白色ＬＥＤ光源２０２へ電源を供給する。コンデンサＣに蓄えられる電荷の量は、撮影モードによって異なり、撮影モードが変更される度に適切な充放電をする。この充放電の制御は、制御部１３により行われる。
【００１６】
スプリットユニット２０８は、フォーカス指標を投影するための光源と、観察時に照明光路Ｏ１に進入し図中矢印方向に移動することでフォーカス指標を光軸方向に移動させる移動機構と、撮影時に照明光路Ｏ１から退避させる進退機構と、を備える。スプリット駆動モーターＭ１はスプリットユニット２０８を図中矢印方向に駆動してフォーカス指標の焦点位置合わせを行う。また、スプリット位置検知部Ｓ１はその停止位置などスプリットユニット２０８の位置を検出する。
穴あきミラー２１０は、中心に穴があいた全反射ミラーである。穴あきミラー２１０は、リング照明を穴あきミラー２１０の外周のミラーによって反射し、撮影光を穴あきミラー２１０の中央の穴から透過する。穴あきミラー２１０を通ったリング照明は対物レンズ２１１によって被検眼Ｅで結像して、被検眼Ｅを照明する。被検眼Ｅからの反射光は、対物レンズ２１１を通って穴あきミラー２１０の中心に結像される。撮像光軸Ｏ２は、被検者の被検眼Ｅから撮像素子２１７に至る光軸である。
【００１７】
前眼観察用レンズ２２０が撮像光軸Ｏ２内に挿入されると、前眼を観察できる。一方、前眼観察用レンズ２２０が撮像光軸Ｏ２内に挿入されていない場合には、眼底を観察できる。前眼観察用レンズ２２０の撮像光軸Ｏ２に対する挿脱は、前眼観察レンズ駆動モーターＭ３と、前眼観察レンズ位置検知部Ｓ４とを用いて行われる。前眼観察用レンズ２２０の挿脱の切替制御は制御部１３が行う。
フォーカスレンズ２１３は、穴あきミラー２１０の中央の穴を通過した撮影光束の焦点調節を行うためのレンズであり、図中矢印方向に移動することで焦点調節を行う。フォーカスレンズ駆動モーターＭ２は、制御部１３からのパルスによりフォーカスレンズ２１３を駆動する。位置検知部Ｓ２は、フォーカスレンズ２１３の位置を検出する。
撮像素子２１７は、撮影光を光電変換する。光電変換された電気信号は制御部１３によってデジタルデータに変換される。赤外観察時には観察像が表示部１４に表示され、撮影時には、メモリまたは記録媒体（不図示）に記録される。デジタルデータは通信伝達手段などを通じて送信してもよい。
【００１８】
制御部１３は、駆動部Ｍ１〜駆動部Ｍ４の駆動制御、検知部Ｓ１〜検知部Ｓ５の制御、ユーザインターフェースからの入力に基づく制御、画像データ処理、撮影画像の表示部１４への表示などの制御を行う。
制御部１３は、プロセッサ、メモリを含んで構成される。制御部１３のプロセッサがメモリに記憶されたプログラムを実行することで各種の駆動制御、検知制御、データ処理、データ入出力、表示制御が実現される。
表示部１４は、例えば液晶ディスプレイを用いることができる。表示部１４は、制御部１３の表示制御により撮像中の被検眼像やメモリに記憶された被検眼像などを表示する。なお、表示部１４は、被検者氏名、年齢、性別、右眼左眼の別などのデータを被検眼像に重畳して表示したり、単独で表示したりする。また、表示部１４の表示面（ディスプレイ面）にタッチパネルを一体で構成し、検者の操作・入力を行うユーザインターフェースとしてもよい。
【００１９】
図２は、本実施形態に係る眼科装置１００において、被検眼Ｅを撮像する場合の制御部１３による処理を示すフローチャートである。
ステップＳ２０１では、制御部１３は検者により眼科装置１００の電源が投入されると、撮像部１２を介して被検眼Ｅの前眼部を撮像する。なお、眼科装置１００の電源が投入され、接眼部１１を被検眼Ｅの周囲に当接させた直後は前眼観察用レンズ２２０が撮像光軸Ｏ２に挿入される。
ステップＳ２０２では、制御部１３は検者により後述する操作ボタン３０２を介して開始が指示されか否かを判定する。
ステップＳ２０３では、制御部１３は前眼部観察像を解析する。
ステップＳ２０４では、制御部１３は被検眼Ｅの瞳孔像が撮像されている映像の略中央にあるか否かを判定する。被検眼Ｅの瞳孔像が略中央の場合にはステップＳ２０５に進み、被検眼Ｅの瞳孔像が略中央ではない場合にはステップＳ２０３に戻る。
【００２０】
ステップＳ２０５では、制御部１３は前眼観察用レンズ２２０を撮像光軸Ｏ２から抜去する。
ステップＳ２０６では、制御部１３はフォーカス指標を投影する。
ステップＳ２０７では、制御部１３はフォーカス指標およびフォーカスレンズ２１３を移動させる。
ステップＳ２０８では、制御部１３は合焦したか否かを判定する。合焦した場合にはステップＳ２０９に進み、合焦していない場合にはステップＳ２０７に戻る。
【００２１】
ステップＳ２０９では、制御部１３はフォーカス指標を照明光路Ｏ１から退避させる。
ステップＳ２１０では、制御部１３は赤外ＬＥＤ光源２０１または白色ＬＥＤ光源２０２を発光させる。
ステップＳ２１１では、制御部１３は撮像している被検眼Ｅの静止画像を画像データとしてメモリまたは記録媒体に記録して、処理を終了する。
【００２２】
図３は、本実施形態に係る眼科装置１００の外観を示す斜視図である。
図３に示すように、眼科装置１００は外観構成において、接眼部１１、撮像部１２と制御部１３とを収容する本体部３０、表示部１４などを有する。本実施形態の眼科装置１００は、本体部３０を挟んで、接眼部１１と表示部１４とが略直線軸上に配置され、その直線軸上に手持ち用の保持部３０１を有する。以下、具体的に各構成について説明する。なお、図３を含む各図では、必要に応じて眼科装置１００の上側をＵとし、下側をＬとして示している。
【００２３】
接眼部１１は、本体部３０の軸方向における一方側の端部（一方端）に設けられる。接眼部１１は、眼科装置１００を被検者の顔、具体的には被検眼Ｅの周辺に当接される。本実施形態の接眼部１１は、当接部１１１と、連結部１１２とが一体で構成される。当接部１１１は、被検眼Ｅよりも大きい環状に形成され、被検眼Ｅの周囲に当接する。連結部１１２は本体部３０と当接部１１１とを連結する。本実施形態の連結部１１２は複数で構成され、隣接する２つの連結部１１２の間に空隙Ｇが形成される。したがって、検者は空隙Ｇを通して被検眼Ｅを視認しながら当接部１１１を被検眼Ｅの周囲に当接させることができるので、位置ずれの軽減および防止を図ることができる。なお、本実施形態の連結部１１２は、被検眼Ｅを空隙なく覆う形状であってよい。この場合には、接眼部１１を透明素材によって形成することで、検者は被検眼Ｅを視認しながら当接部１１１を被検眼Ｅの周囲に当接させることができる。
【００２４】
本体部３０は、接眼部１１と表示部１４とを繋ぎ、撮像部１２の撮像光軸Ｏ２を軸線とする略筒状（棒状あるいは軸状）に形成される。本体部３０は、検者の手で眼科装置１００を保持することができる手持ち用の保持部３０１を有する。保持部３０１は、本体部３０の表示部１４側で本体部３０の軸線方向に沿って形成される。具体的には、保持部３０１は、両側面が本体部３０の軸方向に沿って切り欠かされることでくびれ（狭まり）状に形成される。検者は、例えば、人差指の指先と親指の指先とを接眼部１１側にして、人差指の付け根と親指との付け根との間で保持部３０１の表示部１４側を支えることで、眼科装置１００を安定した状態で保持することができる。なお、保持部３０１の軸線方向の長さは、保持のし易さの点から４ｃｍ以上であることが好ましく、装置の大型化を防止する点から８ｃｍ以下であることが好ましい。特に、保持部３０１の軸線方向の長さは略６ｃｍ程度が好適である。なお、上述した長さは一例であり、これらの数値に限定されるものではなく、他の数値に変更することも可能である。
また、眼科装置１００を更に安定した状態で保持するために、本体部３０の中央に膨らみ部を形成してもよい。この場合には、本体部３０のうち膨らみ部から表示部１４側までに亘る部分が保持部３０１を構成する。
【００２５】
また、本体部３０は、操作ボタン３０２を有する。検者により操作ボタン３０２が押下されることで制御部１３による制御が開始される。操作ボタン３０２は、検者が保持部３０１を保持したときに人差指の指先で押下できる位置の近傍に設けられる。具体的には、操作ボタン３０２は本体部３０の上面であって、本体部３０の軸線方向の略中央に設置される。
また、操作ボタンは２つ以上に設けてもよい。本実施形態の本体部３０は、操作ボタン３０２の反対側に操作ボタン３０３を有する。具体的には、操作ボタン３０３は本体部３０の下面であって、本体部３０の軸線方向の略中央に設置される。操作ボタン３０２と同様に、検者により操作ボタン３０３が押下されることで制御部１３による制御が開始される。このように、本体部３０に操作ボタン３０３を設けることで、検者が本体部３０を保持したときに、人差指以外の指で操作ボタン３０３を押下することができ、眼科装置１００の操作性を向上させることができる。
【００２６】
さらに、被検者が寝た状態で被検眼を撮像する場合には検者が被検者の頭側にまわり撮影を行う場合がある。この場合、検者は眼科装置１００を操作ボタン３０２側に手の甲が位置する状態で把持するため、操作ボタン３０２を用いるよりも操作ボタン３０３を用いた方が容易に押下できる。
なお、ここでは、操作ボタン３０２，３０３は常に有効であることを前提としているが、これに限定されるものではなく、何れか一方を有効としてもよい。例えば、操作ボタン３０２を通常使用するボタンとして常に有効にしておき、検者により所定の操作が行われた場合に操作ボタン３０３を有効とするようにしてもよい。例えば、表示部１４に備えられたタッチパネルの機能を通じて制御部１３は検者により所定の操作が行われたか否かを示す情報を取得することが可能である。
【００２７】
また、眼科装置１００は加速度センサなどのセンサを備えてもよく、このセンサによって取得される眼科装置１００の姿勢に基づいて操作ボタン３０３を有効にするか否かを制御してもよい。例えば、上述のように寝た状態で被検眼を撮像する場合には操作ボタン３０３が用いられる可能性があるため、眼科装置１００が下向きになっていることをセンサにより検出した場合に制御部１３が操作ボタン３０３を有効にしてもよい。なお、眼科装置１００が下向きになっていることをセンサにより検出した場合、制御部１３は表示部１４に操作ボタン３０３を有効にするか否かの選択を促す表示形態を表示してもよい。すなわち、操作ボタン３０３をセンサの出力により直ちに有効にするのではなく、検者に操作ボタン３０３を有効にするか否か選択させる。なお、センサにより取得された情報は制御部１３により取得され、取得した情報に基づいて制御部１３は操作ボタン３０３の有効・無効を制御する。
上述のように、操作ボタン３０３を必要な場合にのみ有効とすることで、検者が意図しない操作ボタン３０３による撮像を防止することが可能となる。
【００２８】
また、表示部１４は、本体部３０の軸方向における他方側の端部（他方端）に設けられる。表示部１４は、略矩形の平板状に形成される。表示部１４は、例えば、液晶ディスプレイを用いることができる。また、表示部１４は、表示面１４１を有する。本実施形態の表示面１４１は、本体部３０の軸線と交差すると共に、本体部３０の軸線方向に対して傾斜している。具体的には、図３に示す撮像光軸Ｏ２と表示面１４１との角度α（鈍角側）が略１２０°である。すなわち、表示面１４１の法線方向が斜め上側を指向している。したがって、検者は表示面１４１を略直交する方向から視認することができる。なお、上述した角度αの数値は一例であり、この数値に限定されるものではなく、他の数値であってもよい。
また、表示部１４には、スマートフォンやタブレット端末など（以下、携帯端末）のディスプレイを用いてもよい。すなわち、本体部３０に対して表示部１４としての携帯端末を着脱可能に構成してもよい。この場合、本体部３０の軸線方向における他方端に携帯端末を取り付ける取付部を設けることで、本体部３０に携帯端末を容易に取り付けることができ、表示部１４を本体部３０と一体にする場合と同様に構成することができる。このとき、本体部３０の制御部１３と携帯端末との間での表示制御や画像データなどの通信は、ＢｌｕｅＴｏｏｔｈ（登録商標）やＷｉｆｉなどの無線通信手段を用いて行うことができる。
【００２９】
図４は、眼科装置１００の使用態様の一例を示す図である。
図４に示すように、検者は本体部３０を保持すると同時に、接眼部１１を被検者の顔に当接させる。このときの検者の動作は、あたかもペンを持ってボードなどに押し当てるときと同様の運動であり、一般的に馴染みのある動作であるために、眼科装置１００と被検者の顔との位置・角度を安定して保つことができる。
【００３０】
また、眼科装置１００は、撮像部１２の撮像光軸Ｏ２を軸線とする棒状の本体部３０のうち、検者の指先の近傍に操作ボタン３０２を有する。したがって、検者は眼科装置１００を保持し直すことなく操作ボタン３０２を押下して、制御部１３の動作が開始される。すなわち、検者は操作ボタン３０２を容易に押下できるので、眼科装置１００と被検者の顔との位置・角度を安定して保つことができる。
【００３１】
図５（ａ）は、眼科装置１００の表示部１４を表示面１４１と反対側から見た状態を示す斜視図である。図５（ｂ）は、検者が保持部３０１を保持した状態を示す斜視図である。
図５（ｂ）に示すように、検者が保持部３０１を保持した状態では、手の甲が表示部１４の裏面１４２に接触される。検者の手の甲が裏面１４２に接触することで、検者の手と眼科装置１００との間の接触面積が増えるため、眼科装置１００と被検者の顔との位置・角度を更に安定して保つことができる。
【００３２】
ここで、本実施形態の裏面１４２は、本体部３０の軸線方向に対して傾斜している。具体的には、図５（ａ）に示す撮像光軸Ｏ２と裏面１４２との角度β（鈍角側）が略１２０°である。すなわち、裏面１４２の法線方向が斜め下側を指向している。裏面１４２の傾斜方向は、検者が保持部３０１を保持したときの手の甲の傾斜方向と一致する方向であることから、検者の手の甲と裏面１４２とを広い範囲で接触させることができる。なお、上述した角度βの数値は一例であり、この数値に限定されるものではなく、他の数値であってもよい。
また、本実施形態の裏面１４２は、手の甲を更に接触し易くするために凹状の湾曲部１４３が表示部１４の上下に亘って形成される。なお、裏面１４２上にはラバーなど弾力性を有する素材からなる層を形成することで、手の甲と裏面１４２との間の滑りを軽減させることができる。なお、裏面１４２の形状は凹状に限定されるものではなく、他の形状であってもよい。例えば、親指の付け根と人差し指の付け根との間に裏面１４２がより接触するように裏面１４２の形状を凸状にしてもよい。例えば、凹状の湾曲部１４３を凸状に置き換えることができる。
また、上述した例では、表示面１４１と裏面１４２とが平行に設けられているが、これに限定されるものではなく、表示面１４１と裏面１４２とは平行ではなくてもよい。すなわち、撮像光軸Ｏ２と表示面１４１との角度αと撮像光軸Ｏ２と裏面１４２との角度βとが異なっていてもよい。例えば、撮像光軸Ｏ２と表示面１４１との角度αを９０°としてもよい。なお、撮像光軸Ｏ２と表示面１４１との角度αはこれに限定されるものではなく、他の角度であってもよい。撮像光軸Ｏ２と表示面１４１との角度が９０°よりも大きい場合、被検眼の位置が検者の眼の位置よりも低い状態で検者が表示面１４１を確認することが容易となる。また、撮像光軸Ｏ２と表示面１４１との角度αが９０°の場合には被検眼の位置と検者の眼の位置との高さが略同一の場合に表示面１４１を確認することが容易となる。また、被検眼と表示面１４１とを同時に確認することも可能となるため、装置の位置調整などを容易に行うことが可能となる。
【００３３】
このように、本実施形態によれば、検者が装置を手持ちして被検眼を撮像するときに、装置と被検者の顔との位置・角度を安定して保つことができる。
また、表示部１４の表示面１４１は、本体部３０の軸線方向に対して交差していることから、検者は表示面１４１を容易に視認することができる。
また、保持部３０１は本体部３０のうち表示部１４側に形成され、表示部１４の表示面１４１の反対側である裏面１４２は保持部３０１を保持した手の甲に接触されることから、装置と被検者の顔との位置・角度をより安定して保つことができる。
また、裏面１４２は本体部３０の軸線方向に対して傾斜していることから、検者の手の甲と裏面１４２とを広い範囲で接触させることができる。
また、裏面１４２は弾力性を有する層が形成されることから、手の甲と裏面１４２との間の滑りを軽減させることができる。
【００３４】
また、接眼部１１は、接眼部１１が被検眼Ｅの周辺に当接したときに検者が被検眼Ｅを視認可能に形成されることから、装置と被検眼Ｅとの位置ずれの防止または軽減を図ることができる。
また、本体部３０は、２つ以上の操作ボタン３０２、３０３を有することから、特定の指以外の指で操作ボタンを押下することができ、装置の操作性を向上させることができる。
また、表示部１４は本体部３０に対して着脱可能であってもよく、この場合には本体部３０にスマートフォンやタブレット端末を用いることができる。このとき、本体部３０の軸線方向における他方端に表示部１４を取り付ける取付部を有することで、表示部１４の装着を容易に行うことができる。
【００３５】
以上、本発明を上述した実施形態を用いて説明したが、本発明は上述した実施形態にのみ限定されるものではなく、本発明の範囲内で変更が可能である。
例えば、上述した接眼部１１は環状の当接部１１１を有し、当接部１１１が被検眼Ｅの周囲に当接する場合について説明したが、この場合に限られない。例えば、当接部１１１は、環状ではなく、被検眼Ｅの周囲の少なくとも一部、好ましくは２箇所以上で当接する形状であってもよい。
また、上述した操作ボタン３０２、３０３は、何れも制御部１３による制御の開始を指示するためのボタンである場合について説明したが、異なる制御を指示するボタンであってもよい。
【００３６】
また、本発明は、以下の処理を実行することによっても実現される。すなわち、上述した実施形態の機能を実現するプログラムを、ネットワークまたは各種記憶媒体などを介して眼科装置１００に供給し、眼科装置１００の制御部１３（コンピュータ）がプログラムを読み出して実行する処理である。
【符号の説明】
【００３７】
１００：眼科装置  １１：接眼部  １１１：当接部  １１２：連結部  １２：撮像部  １３：制御部  １４：表示部  １４１：表示面  １４２：裏面  ３０：本体部  ３０１：保持部  ３０２：操作ボタン  ３０３：操作ボタン
【図１】
2015226584.tif 000003
【図２】
2015226584.tif 000004
【図３】
2015226584.tif 000005
【図４】
2015226584.tif 000006
【図５】
2015226584.tif 000007
【図６】
2015226584.tif 000008